(57)【要約】【課題】カラー表示機能と動的表示機能とを兼ね備えたオン・スクリーン・ディスプレイ制御システム及び制御方法を提供することを目的とする。【解決手段】本発明は、ユーザの操作に対応したデータ信号を出力するＭＰＵを有する表示装置を備えるＯＳＤ制御システムであって、表示装置に接続されたホストをさらに備え、ホストは、メモリー及び中央処理装置を備え、メモリーは、外部ＯＳＤモジュールを格納し、外部ＯＳＤモジュールは、カラー表示機能、動的表示機能、及びマウス選択機能を有する第一ＯＳＤメニューを作り上げることに用いられ、中央処理装置は、ＭＰＵから出力されたデータ信号を分析するとともに、相応の信号を出力して、メモリーを制御してその内部に格納された外部ＯＳＤモジュールに対してリソースを割り当て、信号に対応した第一ＯＳＤメニューを作り上げて表示装置に表示することを特徴とする。【選択図】図２
2008257218.tif 000002
【特許請求の範囲】
【請求項１】
ユーザの操作に対応したデータ信号を出力するマイクロ・プロセッシング・ユニットを有する表示装置を備えるオン・スクリーン・ディスプレイ制御システムであって、
前記表示装置に電気的に接続されたホストをさらに備え、
前記ホストは、メモリー及び中央処理装置を備え、
前記メモリーは、外部ＯＳＤモジュールを格納し、
前記外部ＯＳＤモジュールは、動的画面開発ソフトを利用して構築したデータベースであって、カラー表示機能、動的表示機能、及びマウスで選択する機能を有する第一ＯＳＤメニューを作り上げることに用いられ、
前記中央処理装置は、マイクロ・プロセッシング・ユニットから出力されたデータ信号を分析するとともに、相応の信号を出力して、前記メモリーを制御してその内部に格納された前記外部ＯＳＤモジュールに対してリソースを割り当てて、前記信号に対応した第一ＯＳＤメニューを作り上げ、前記表示装置に表示することを特徴とするオン・スクリーン・ディスプレイ制御システム。
【請求項２】
前記表示装置は、各々の映像データを処理することに用いられ、且つ前記マイクロ・プロセッシング・ユニットに制御される集積回路をさらに備えることを特徴とする請求項１に記載のオン・スクリーン・ディスプレイ制御システム。
【請求項３】
前記集積回路は、マイクロ・プロセッシング・ユニットからの制御指令に基づいて、内部に格納したキャラクタベース、表示窓図形庫、動作プログラム、及び機能プログラムを利用して第二ＯＳＤメニューを作り上げる内部ＯＳＤモジュールを備えることを特徴とする請求項２に記載のオン・スクリーン・ディスプレイ制御システム。
【請求項４】
前記表示装置は、前記第一ＯＳＤメニューまたは前記第二ＯＳＤメニューの各々の機能項目を調節するための制御部品であるＯＳＤ制御部品をさらに備えることを特徴とする請求項３に記載のオン・スクリーン・ディスプレイ制御システム。
【請求項５】
前記第二ＯＳＤメニューは、前記ホストと前記ＯＳＤ制御部品との間に接続関係を作り上げるかどうかを設定する機能項目を有し、
前記第二ＯＳＤメニューの設定により、前記ホストと前記ＯＳＤ制御部品との間に接続関係を作り上げると、前記マイクロ・プロセッシング・ユニットは、前記外部ＯＳＤモジュールに制御指令を送信する動作を停止することを特徴とする請求項４に記載のオン・スクリーン・ディスプレイ制御システム。
【請求項６】
オン・スクリーン・ディスプレイ制御方法において、
ホストと表示装置とを電気的に接続し、前記ホストは、外部ＯＳＤモジュール及び中央処理装置を備え、前記外部ＯＳＤモジュールは、動的画面開発ソフトを利用して構築したデータベースであって、カラー表示機能、動的表示機能、及びマウスで選択する機能を有する第一ＯＳＤメニューを作り上げることに用いられ、前記表示装置は、ＯＳＤメニュー及び他の映像図画を表示することに用いられ、内部ＯＳＤモジュールを格納し、且つ前記内部ＯＳＤモジュールの内部に格納されたキャラクタベース、表示窓図形庫、動作プログラム、及び機能プログラムを配置して第二ＯＳＤメニューを作り上げ、前記第二ＯＳＤメニューは、ホストとＯＳＤ制御部品との間に接続関係を作り上げるかどうかを設定する機能を有する第一ステップと、
前記ホスト及び表示装置を起動し、且つ前記第二ＯＳＤメニューを介して前記ＯＳＤ制御部品とホストとの間の接続関係を作り上げる第二ステップと、
前記中央処理装置を介して前記ホストに信号が入力されているかどうかを測定し、前記ホストに信号が入力されている場合、前記中央処理装置が前記信号の種類を識別するとともに、対応する制御指令を出力し、入力されていない場合、前記中央処理装置が待ち状態を維持する第三ステップと、
前記外部ＯＳＤモジュールは、前記中央処理装置からの制御指令に基づいて、前記外部ＯＳＤモジュールの内部に格納された相応のデータを自動的に呼び出して、前記第一ＯＳＤメニューを作り上げて、前記表示装置に表示することによって、ユーザが表示効果を調節できる状態にする第四ステップと、
を備えることを特徴とするオン・スクリーン・ディスプレイ制御方法。
【請求項７】
前記表示装置と前記ホストとの間の接続関係を作り上げる時、ユーザによってクリックされたＯＳＤ制御部品に応答して前記第二ＯＳＤメニューの主画面を表示し、且つ前記ホストと前記ＯＳＤ制御部品との間に接続関係を作り上げるかどうかを設定する機能項目を利用して、前記表示装置と前記ホストとの接続関係を作り上げることを特徴とする請求項６に記載のオン・スクリーン・ディスプレイ制御方法。
【請求項８】
前記第一ＯＳＤメニューも、前記ホストと前記表示装置との間に接続関係を作り上げるかどうかを設定する機能項目を有し、
前記表示装置に第一ＯＳＤメニューを表示すると、ユーザによるＯＳＤ制御部品操作を介して前記ホストと表示装置との間の接続関係をカットし、前記表示装置のマイクロ・プロセッシング・ユニットが内部ＯＳＤモジュールを制御して、該内部ＯＳＤモジュールを稼動させることによって、前記表示装置に前記第一ＯＳＤメニューを表示させることを特徴とする請求項６に記載のオン・スクリーン・ディスプレイ制御方法。
【発明の詳細な説明】
【技術分野】
【０００１】
本発明は、オン・スクリーン・ディスプレイ（Ｏｎ  Ｓｃｒｅｅｎ  Ｄｉｓｐｌａｙ，ＯＳＤ）制御システム及び制御方法に関するものである。
【背景技術】
【０００２】
現在、ユーザは、ＯＳＤ制御システムを介して表示装置のそれぞれのディスプレイ・キャラクタ・パラメーターを調節することにより、自分の好みに合う表示効果を獲得する。通常、ユーザが調節できるディスプレイ・キャラクタ・パラメーターは、輝度（Ｂｒｉｇｈｔｎｅｓｓ）と、色温度（Ｃｏｌｏｒ  Ｔｅｍｐｅｒａｔｕｒｅ）と、コントラスト（Ｃｏｎｔｒａｓｔ）と、位相（Ｐｈａｓｅ）と、を備える。
【０００３】
図１は、従来のオン・スクリーン・ディスプレイ制御システムのハードウェアの構造を示すブロック図である。前記オン・スクリーン・ディスプレイ制御システム１は、ＯＳＤ制御部品１０と、映像表示部１２と、制御回路板１４と、を備える。
【０００４】
前記映像表示部１２は、ＯＳＤメニュー１２１及び他の映像図画（図示せず）を表示することに用いられる。前記ＯＳＤメニュー１２１は、各々のディスプレイ・キャラクタ・パラメーターを代表したパターンまたは文字符号と、各々のディスプレイ・キャラクタ・パラメーターを調節するために必要な量化項目及び他の機能項目を表示する。例えば、前記ＯＳＤメニュー１２１は、輝度、色温度、コントラスト、位相などのディスプレイ・キャラクタ・パラメーターを表示することができ、且つ前記ディスプレイ・キャラクタ・パラメーターのパラメーター値を調節するために、これを数字の形式で表示することができる。
【０００５】
前記ＯＳＤ制御部品１０は、ユーザが前記ＯＳＤメニュー１２１を選択するか調節するために表示装置の外部に設けられた装置であって、マウス、キーボード、または表示装置の外部フレームに設置されたボタンなどであることができる。前記ＯＳＤ制御部品１０は、１つの選択ボタン１０１と、少なくとも１つの調節ボタン１０２と、を備える。前記選択ボタン１０１は、ユーザが前記ＯＳＤメニュー１２１を調節したり、機能項目を選択したりする制御部品であって、例えば表示装置の外部フレームに設けられた「Ｍｅｎｕ」ボタンである。前記調節ボタン１０２は、ユーザが前記映像表示部１２のディスプレイ・キャラクタ・パラメーターの量化項目を調節する制御部品であって、例えば表示装置の外部フレームに設けられたボリュームボタンである。
【０００６】
前記制御回路板１４は、ユーザが前記ＯＳＤ制御部品１０を利用して送信した制御指令に応じて前記ＯＳＤメニュー１２１を調節し、且つそれに相応した動作プログラムにより前記映像表示部１２の表示効果を変更する。前記制御回路板１４は、マイクロ・プロセッシング・ユニット（Ｍｉｃｒｏ  Ｐｒｏｃｅｓｓｏｒ  Ｕｎｉｔ，ＭＰＵ）１４１と、集積回路（Ｓｃａｌｅｒ  Ｉｎｔｅｇｒａｔｅｄｃｉｒｃｕｉｔ）１４３と、を備える。前記マイクロ・プロセッシング・ユニット１４１は、前記ＯＳＤ制御部品１０からの制御指令に基づいて、対応する制御信号を出力して前記集積回路１４３の動作を制御する。前記集積回路１４３は、前記ＯＳＤメニュー１２１を設定するために必要であるファームウェアを格納する。前記集積回路１４３は、前記マイクロ・プロセッシング・ユニット１４１から出力された制御信号によって、各々のファームウェアに対して、パラメーター値を設定するかリソースを割り当てることによって、相応したＯＳＤメニュー１２１を得る。さらに前記ＯＳＤメニュー１２１を構成するデータを走査し、且つ縮小してから、前記映像表示部１２に送信して、前記映像表示部１２に前記ＯＳＤメニュー１２１を表示させる。
【０００７】
通常、ユーザが前記ＯＳＤ制御部品１０の選択ボタン１０１を押すと、前記マイクロ・プロセッシング・ユニット１４１は、前記集積回路１４３が格納したファームウェアを呼び集めるように制御して、前記映像表示部１２にファームウェアが設定したＯＳＤメニュー１２１を表示させる。
【０００８】
しかし、前記集積回路１４３は、前記ＯＳＤメニュー１２１を構成するファームウェアを格納するが、前記集積回路１４３の記憶容量及び図形を処理する機能が有限であるため、前記オン・スクリーン・ディスプレイ制御システム１が表示するＯＳＤメニュー１２１の色彩も有限（６４色のみ表示できる）であって、且つ静的画面だけしか表示できない。
【発明の開示】
【発明が解決しようとする課題】
【０００９】
本発明の第一目的は、前記課題を解決し、カラー表示機能と動的表示機能を兼ね備えたオン・スクリーン・ディスプレイ制御システムを提供することである。
【００１０】
本発明の第二目的は、前記課題を解決し、カラー表示機能と動的表示機能を兼ね備えたオン・スクリーン・ディスプレイ制御システムの制御方法を提供することである。
【課題を解決するための手段】
【００１１】
前記第一の目的を達成するため、本発明は、ユーザの操作に対応したデータ信号を出力するマイクロ・プロセッシング・ユニットを有する表示装置を備えるオン・スクリーン・ディスプレイ制御システムであって、前記表示装置に電気的に接続されたホストをさらに備え、前記ホストは、メモリー及び中央処理装置を備え、前記メモリーは、外部ＯＳＤモジュールを格納し、前記外部ＯＳＤモジュールは、動的画面開発ソフトを利用して構築したデータベースであって、カラー表示機能、動的表示機能、及びマウスで選択する機能を有する第一ＯＳＤメニューを作り上げることに用いられ、前記中央処理装置は、マイクロ・プロセッシング・ユニットから出力されたデータ信号を分析するとともに、相応の信号を出力して、前記メモリーを制御してその内部に格納された前記外部ＯＳＤモジュールに対してリソースを割り当てて、前記信号に対応した第一ＯＳＤメニューを作り上げ、前記表示装置に表示することを特徴とするオン・スクリーン・ディスプレイ制御システムを提供する。
【００１２】
前記第二の目的を達成するため、本発明のオン・スクリーン・ディスプレイ制御方法において、ホストと表示装置とを電気的に接続し、前記ホストは、外部ＯＳＤモジュール及び中央処理装置を備え、前記外部ＯＳＤモジュールは、動的画面開発ソフトを利用して構築したデータベースであって、カラー表示機能、動的表示機能、及びマウスで選択する機能を有する第一ＯＳＤメニューを作り上げることに用いられ、前記表示装置は、ＯＳＤメニュー及び他の映像図画を表示することに用いられ、内部ＯＳＤモジュールを格納し、前記内部ＯＳＤモジュールの内部に格納されたキャラクタベース、表示窓図形庫、動作プログラム、及び機能プログラムを配置して第二ＯＳＤメニューを作り上げ、前記第二ＯＳＤメニューは、ホストとＯＳＤ制御部品との間に接続関係を作り上げるかどうかを設定する機能を有する第一ステップと、前記ホスト及び表示装置を起動し、且つ前記第二ＯＳＤメニューを介して前記ＯＳＤ制御部品とホストとの間の接続関係を作り上げる第二ステップと、前記中央処理装置を介して前記ホストに信号が入力されているかどうかを測定し、前記ホストに信号が入力されている場合、前記中央処理装置が前記信号の種類を識別するとともに、対応する制御指令を出力し、入力されていない場合、前記中央処理装置が待ち状態を維持する第三ステップと、前記外部ＯＳＤモジュールは、前記中央処理装置からの制御指令に基づいて、前記外部ＯＳＤモジュールの内部に格納された相応のデータを自動的に呼び出して、前記第一ＯＳＤメニューを作り上げて、前記表示装置に表示し、ユーザが表示効果を調節できる状態にする第四ステップと、を備えることを特徴とするオン・スクリーン・ディスプレイ制御方法を提供する。
【発明の効果】
【００１３】
本発明のオン・スクリーン・ディスプレイ制御システム及び制御方法は、ホストの内部に容量が大きいメモリーを有するため、１つの外部ＯＳＤモジュールを作り上げるとともに前記メモリーに格納する。前記外部ＯＳＤモジュールは、動的画面開発ソフトを利用して構築したデータベースであって、それは、カラー表示機能、動的表示機能、及びマウスで選択する機能を含むＯＳＤメニューを作り上げることができる。ユーザが前記ＯＳＤメニューによって前記表示装置のディスプレイ・キャラクタ・パラメーターを調整して、表示効果を変更する。
【発明を実施するための最良の形態】
【００１４】
図２は、本発明の実施形態に係るオン・スクリーン・ディスプレイ制御システムのハードウェアの構造を示すブロック図である。オン・スクリーン・ディスプレイ制御システム３は、ホスト４及び表示装置５を備え、前記ホスト４と前記表示装置５との間をビデオ信号ラインを介して電気的に接続し、且つＩ２Ｃバスラインプロトコルに基づいて、信号とデータを伝送する。
【００１５】
前記表示装置５は、映像表示部５１と、ＯＳＤ制御部品５２と、制御回路板５３と、を備える。前記映像表示部５１は、ＯＳＤメニュー及び他の映像図画を表示することに用いられる。
【００１６】
前記ＯＳＤ制御部品５２は、ユーザが前記ＯＳＤメニューを選択するか調節するために表示装置の外部に設けられた装置であって、マウス、キーボード、または表示装置の外部フレームに設置されたボタンなどである。前記ＯＳＤ制御部品５２は、１つの選択ボタン５２１と、１つの調節ボタン５２３と、を備える。前記選択ボタン５２１は、ユーザがＯＳＤメニューを呼び出したり、機能項目を選択したりする制御部品であって、例えば表示装置の外部フレームに設けられた「Ｍｅｎｕ」ボタンである。前記調節ボタン５２３は、ユーザが前記映像表示部５１のディスプレイ・キャラクタ・パラメーターを調節する制御部品であって、例えば表示装置の外部フレームに設けられたボリュームボタンである。
【００１７】
前記制御回路板５３は、集積回路（Ｓｃａｌｅｒ  Ｉｎｔｅｇｒａｔｅｄｃｉｒｃｕｉｔ）５３１と、マイクロ・プロセッシング・ユニット５３２と、第一ＶＧＡインタフェース５３３と、を備える。前記第一ＶＧＡインタフェース５３３は、前記ホスト４と前記表示装置５との間にデータを伝送する接続部である。前記マイクロ・プロセッシング・ユニット５３２は、ユーザの操作により、前記ＯＳＤ制御部品５２から出力された指令に基づいて、相応の制御信号を出力して前記集積回路５３１の動作を制御する。
【００１８】
前記集積回路５３１は、Ａ/Ｄ変換部５４１と、画像処理部５４２と、内部ＯＳＤモジュール５４３と、ＬＶＤＳ（Ｌｏｗ  Ｖｏｌｔａｇｅ  Ｄｉｆｆｅｒｅｎｔｉａｌ  Ｓｉｇｎａｌ）インタフェース５４４と、を備える。前記Ａ/Ｄ変換部５４１は、外部回路（図示せず）からのアナログＲＧＢ信号、及び垂直同期信号（Ｖｅｒｔｉｃａｌ  Ｓｙｎｃｈｒｏｎｉｚａｔｉｏｎ  Ｓｉｇｎａｌ）または水平同期信号（Ｈｏｒｉｚｏｎｔａｌ  Ｓｙｎｃｈｒｏｎｉｚａｔｉｏｎ  Ｓｉｇｎａｌ）を受信し、且つ前記アナログＲＧＢ信号を相応したデジタルＲＧＢ信号に変換し、前記水平同期信号及び垂直同期信号を総合同期信号に変換する。前記内部ＯＳＤモジュール５４３は、第二ＯＳＤメニュー（図示せず）を構成するためのデータを格納する。前記内部ＯＳＤモジュール５４３は、前記マイクロ・プロセッシング・ユニット５３２から出力された制御信号に基づいて、格納されたデータに対して、リソースを割り当てたり、パラメーター値を設定したりして、相応の第二ＯＳＤメニューを構成する。前記第二ＯＳＤメニューは、前記ホスト４と前記ＯＳＤ制御部品５２との間に接続関係を作り上げるかどうかを設定する機能項目を有する。前記画像処理部５４２は、前記Ａ/Ｄ変換部５４１により変換されて得たデジタル信号と前記内部ＯＳＤモジュール５４３がリソースを割り当てて得た第二ＯＳＤメニューのデータとを別々に縮小若しくは拡大し、且つ前記ＬＶＤＳインタフェース５４４を介して前記映像表示部５１に処理されたデータ信号を送信して、前記映像表示部５１に外部回路から送信した他の映像図形と前記内部ＯＳＤモジュール５４３から作り上げた第二ＯＳＤメニューとを表示させる。
【００１９】
図３は、図２に示したオン・スクリーン・ディスプレイ制御システムの内部ＯＳＤモジュールのソフト構造図である。前記内部ＯＳＤモジュール５４３は、キャラクタ庫５４６と、表示窓図形庫５４７と、動作プログラム５４８と、機能プログラム５４９と、を備える。前記キャラクタ庫５４６は、前記第二ＯＳＤメニューの表示文字及び数字符号を設定することに用いられる。前記表示窓図形庫５４７は、前記第二ＯＳＤメニューの表示窓形状及び図案を設定することに用いられる。前記機能プログラム５４９は、前記第二ＯＳＤメニューが有する機能項目を設定し、例えば、輝度、色温度、コントラスト等の機能項目である。前記動作プログラム５４８は、前記第二ＯＳＤメニューの各々の機能項目の間の動作関係をコンパイルするかまたは調節する。ユーザの操作により、前記ＯＳＤ制御部品５２が命令を出力してから、前記マイクロ・プロセッシング・ユニット５３２が前記命令を分析し、且つ対応する制御命令を前記内部ＯＳＤモジュール５４３に送信する。前記内部ＯＳＤモジュール５４３は、前記制御命令に基づいて、必要なキャラクタ庫５４６及び表示窓図形庫５４７を呼び出して、第二ＯＳＤメニューを形成し、相応の機能プログラム５４９及び動作プログラム５４８を利用して、前記第二ＯＳＤメニューの各々の機能を設定したり動作させたりする。
【００２０】
前記ホスト４は、メモリー４１と、中央処理装置４２と、ディスプレイ・カード４３と、第二ＶＧＡインタフェース４４と、を備える。前記メモリー４１は、外部ＯＳＤモジュール４１２を格納する。前記外部ＯＳＤモジュール４１２は、Ｆｌａｓｈソフトのような動的画面開発ソフトを利用して、ユーザの好みに基づいてコンパイルされたデータ庫である。前記データ庫は、カラー画面（６４色以上）、動的画面、及びマウスで選択する機能を有する第一ＯＳＤメニュー（図示せず）を作り上げることに必要である各々の数字符号及びプログラムを設定し、例えば、２５６色の表示色彩と、１つの動的画面運行プログラム、及び１つのマウス動作制御プログラムを設定するデータ庫である。前記第一ＯＳＤメニューも、ホスト４とＯＳＤ制御部品５２との間に接続関係を作り上げるかどうかを設定する機能項目を有し、前記第二ＯＳＤメニューは、１つの主画面と複数の副画面とを備え、前記主画面は、各々の機能項目を表示し、前記副画面が各々の機能項目の調節項目を表示する。前記ディスプレイ・カード４３は、前記外部ＯＳＤモジュール４１２に格納されたデータを相応のＲＧＢデータ信号に変換する。前記第二ＶＧＡインタフェース４４は、ビデオ信号ラインを介して前記第一ＶＧＡインタフェース５３３に接続し、それによって前記ホスト４と表示装置５との間にデータを送信する伝送通路を構成する。前記中央処理装置４２は、前記マイクロ・プロセッシング・ユニット５３２から出力されたデータ信号に基づいて、前記メモリー４１の外部ＯＳＤモジュール４１２に格納されたデータに対して、パラメーター設定したりリソースを割り当てたりして、相応的な第二ＯＳＤメニューを構成する。前記第二ＯＳＤメニューを構成するデータは、前記ディスプレイ・カード４３により相応のＲＧＢデータ信号に変換されて前記集積回路５３１の画像処理部５４２に送信され、拡大若しくは縮小処理を行ってから、前記ＬＶＤＳインタフェース５４４を介して前記映像表示部５１に送信し、それによって前記外部ＯＳＤモジュール４１２から作り上げられる第二ＯＳＤメニューを表示する。
【００２１】
ユーザが前記ＯＳＤ制御部品５２及び第二ＯＳＤメニューによって前記ホスト４と前記表示装置５との接続関係を設定し、且つ第二ＯＳＤメニューから退出してから、もしユーザが前記ＯＳＤ制御部品５２の選択ボタン５２１をもう一度押すと、前記表示装置５のマイクロ・プロセッシング・ユニット５３２は、前記集積回路５３１の内部ＯＳＤモジュール５４３に制御信号を送信しないため、前記表示装置５は、第二ＯＳＤメニューを表示しない。同時に、前記マイクロ・プロセッシング・ユニット５３２から出力される他の信号は、順次的に第一ＶＧＡインタフェース５３３と、ビデオ信号ラインと、第二ＶＧＡインタフェース４４とを介して前記ホスト４の中央処理装置４２に送信され、前記中央処理装置４２が制御指令を出力して、前記メモリー４１の外部ＯＳＤモジュール４１２に格納されたデータに対して、パラメーターを設定したりリソースを割り当てたりして、前記第一ＯＳＤメニューの主画面を構成することに必要であるデータを得る。前記データがディスプレイ・カード４３により相応のＲＧＢデータ信号に変換されて前記画像処理部５４２に送信され、拡大若しくは縮小処理を行ってから、前記映像表示部５１に送信し、それによって前記外部ＯＳＤモジュール４１２から作り上げられる第一ＯＳＤメニューの主画面を表示する。それから、ユーザは、前記ＯＳＤ制御部品５２を利用して、前記第一ＯＳＤメニューが表示した各々の項目を選択することができ、前記マイクロ・プロセッシング・ユニット５３２も前記中央処理装置４２に１つの信号を送信する。前記中央処理装置４２は、前記信号の種類を識別するとともに、対応した制御指令を出力して、外部ＯＳＤモジュール４１２に格納されたデータに対して、パラメーターを設定したりリソース割り当てたりして、前記第一ＯＳＤメニューの副画面を構成するデータを得る。前記データが順にディスプレイ・カード４３と、送信チャンネルと、集積回路５３１とを介して前記映像表示部５１に送信されて、副画面を表示する。同時に、ユーザは、前記ＯＳＤ制御部品５２を利用して、前記第一ＯＳＤメニューの副画面が表示したディスプレイ・キャラクタ・パラメーター値を調整することにより、当時の表示効果を変更する。
【００２２】
なお、もし前記ホスト４と表示装置５との間で送信する信号が例外で中止すると、前記表示装置５のマイクロ・プロセッシング・ユニット５３２は、内部ＯＳＤモジュール５４３を自動的に呼び出すことができる。同時に、ユーザは、前記第一ＯＳＤメニューを利用して、前記ホスト４と前記ＯＳＤ制御部品５２とが接続しないように設定することができ、それによって前記内部ＯＳＤモジュール５４３が設定した第二ＯＳＤメニューを呼び出す。
【００２３】
図４は、図２に示したオン・スクリーン・ディスプレイ制御システムの制御方法を示すフローチャートである。前記オン・スクリーン・ディスプレイ制御システム３の制御方法は、以下のステップを備える。
【００２４】
Ｓ１ステップで、ホストのアプリケーション・プログラムと、許可訪問端子及びメモリー４１の初期化プログラム（Ｉｎｉｔｉａｌ  Ｗｉｎｉｏ  Ｐｒｏｇｒａｍ）と、メモリー４１のドライバプログラムと、をロードする。前記初期化プログラムは、ホスト４及び表示装置５が端子を訪問することを許可することにより、ホスト４と表示装置５との間で情報を交換することを実現できるソフトプログラムである。前記メモリー４１のドライバプログラムは、前記メモリー４１が読み出し動作を行う設定プログラムを備える。
【００２５】
Ｓ２ステップで、前記ホスト４を稼動させ、且つ前記第二ＯＳＤメニューを介して前記ＯＳＤ制御部品５２とホスト４との間の接続関係を作り上げる。
【００２６】
Ｓ３ステップで、中央処理装置４２は、前記ホスト４に信号が入力されているかどうかを測定し、前記ホスト４に信号が入力されている場合、前記中央処理装置４２が前記信号の種類を識別する。入力されていない場合、前記中央処理装置４２は、待ち状態を維持する。
【００２７】
前記ＯＳＤ制御部品５２とホスト４との間の接続関係を作り上げてから、前記中央処理装置４２は、前記第二ＶＧＡインタフェース４４に信号が入力されているかどうかを自動的に測定する。信号が入力されていない場合、即ちユーザが操作しない時、前記中央処理装置４２は、ずっと待ち状態を維持する。しかし、ユーザが前記ＯＳＤ制御部品５２を介して命令を出力すると、前記表示装置５のマイクロ・プロセッシング・ユニット５３２は、相応の信号を出力し、且つ第一ＶＧＡインタフェース５３３、ビデオ信号ライン、及び第二ＶＧＡインタフェース４４から構成される送信チャンネルを介して前記中央処理装置４２に送信し、前記中央処理装置４２が前記信号の種類を識別するとともに、対応する制御指令を前記メモリー４１に送信する。
【００２８】
Ｓ４ステップで、前記メモリー４１が前記中央処理装置４２からの制御指令に基づいて、外部ＯＳＤモジュール４１２に格納された相応のデータを設定し、それによって第一ＯＳＤメニューの主画面を得る。
【００２９】
前記ホスト４のメモリー４１は、前記中央処理装置４２からの制御指令に基づいて、外部ＯＳＤモジュール４１２から前記第一ＯＳＤメニューの主画面を構成するデータを呼び出し、且つディスプレイ・カード４３により前記呼び出したデータをＲＧＢデータ信号に変換して送信チャンネルで表示装置５の画像処理部５４２に送信し、拡大若しくは縮小処理を行ってから、前記ＬＶＤＳインタフェース５４４を介して前記映像表示部５１に送信し、それによって前記外部ＯＳＤモジュール４１２から作り上げられる第一ＯＳＤメニューの主画面を表示する。
【００３０】
Ｓ５ステップで、ＯＳＤ制御部品５２またはマウス（図示せず）で前記第一ＯＳＤメニューの主画面の機能項目を選択して、表示効果を調節する。前記映像表示部５１に前記第一ＯＳＤメニューの主画面が表示された後、ユーザがＯＳＤ制御部品５２の調節ボタン５２３及び選択ボタン５２１、またはマウスで何れか１つの機能項目を選択すると、前記マイクロ・プロセッシング・ユニット５３２がすぐ対応する信号を出力して送信チャンネルを介して前記中央処理装置４２に送信する。前記中央処理装置４２は、前記信号の種類を識別するとともに対応した制御指令を出力して、前記外部ＯＳＤモジュール４１２に格納されたデータに対して再びパラメーターを設定したりリソースを割り当てたりして、前記第一ＯＳＤメニューの副画面を構成するデータを得る。前記データは、前記ディスプレイ・カード４３の作用を受けてから、前記送信チャンネルを介して前記集積回路５３１に送信され拡大若しくは縮小処理を行い、前記映像表示部５１に送信され、前記映像表示部５１に対応する副画面を表示させて、ユーザにディスプレイ・キャラクタ・パラメーターを調整すること、または機能設定を変更することを提供する。
【００３１】
Ｓ６ステップで、調節を終了してから、前記第一ＯＳＤメニューから退出する。調節を終了すると、ユーザが前記ＯＳＤ制御部品５２またはマウスを介して前記第一ＯＳＤメニューから退出してから、前記マイクロ・プロセッシング・ユニット５３２が前記中央処理装置４２に対応する信号を送信し、前記中央処理装置４２は、前記信号の種類を識別するとともに前記メモリー４１に対応した制御指令を送信し、前記メモリー４１が外部ＯＳＤモジュール４１２の結束プログラムを呼び出して、前記映像表示部５１に前記第一ＯＳＤメニューを表示しないことにする。
【００３２】
本発明のオン・スクリーン・ディスプレイ制御システム及び制御方法は、ホスト４の内部に容量が大きいメモリー４１を有するため、１つの外部ＯＳＤモジュール４１２を作り上げるとともにメモリー４１に格納する。前記外部ＯＳＤモジュール４１２は、動的画面開発ソフトを利用して構築したデータベースであって、それはカラー表示機能、動的表示機能、またはマウスで選択する機能を含む第一ＯＳＤメニューを作り上げることができる。同時に、ユーザは、前記第一ＯＳＤメニューによって前記表示装置５のディスプレイ・キャラクタ・パラメーターを調整して表示効果を変更することができる。なお、本発明のオン・スクリーン・ディスプレイ制御システム及び制御方法は、表示装置５で自身の表示効果を調整することができるばかりでなく、ホスト４で表示装置５の表示効果を調整することができる。
【図面の簡単な説明】
【００３３】
【図１】従来のオン・スクリーン・ディスプレイ制御システムのハードウェアの構造を示すブロック図である。
【図２】本発明の実施形態に係るオン・スクリーン・ディスプレイ制御システムのハードウェアの構造を示すブロック図である。
【図３】図２に示すオン・スクリーン・ディスプレイ制御システムの内部ＯＳＤモジュールのソフト構造図である。
【図４】図２に示すオン・スクリーン・ディスプレイ制御システムの制御方法を示すフローチャートである。
【符号の説明】
【００３４】
３  オン・スクリーン・ディスプレイ制御システム
４  ホスト
５  表示装置
４１  メモリー
４２  中央処理装置
４３  ディスプレイ・カード
４４  第二ＶＧＡインタフェース
５１  映像表示部
５２  ＯＳＤ制御部品
５３  制御回路板
４１２  外部ＯＳＤモジュール
５２１  選択ボタン
５２３  調節ボタン
５３１  集積回路
５３２  マイクロ・プロセッシング・ユニット
５３３  第一ＶＧＡインタフェース
５４１  Ａ/Ｄ変換部
５４２  画像処理部
５４３  内部ＯＳＤモジュール
５４４  ＬＶＤＳインタフェース
５４６  キャラクタ庫
５４７  表示窓図形庫
５４８  動作プログラム
５４９  機能プログラム
【図１】
2008257218.tif 000003
【図２】
2008257218.tif 000004
【図３】
2008257218.tif 000005
【図４】
2008257218.tif 000006